(57)【特許請求の範囲】
【請求項１】
一対の対向する平行な外壁面同士の間で前記外壁面に平行な所定の方向に配列される複数のパーゴラユニットと、
前記所定の方向に延在するように各々の前記外壁面上に固定具で固定され、複数の前記パーゴラユニットを両持ち支持する一対のユニット支持材と、を備え、
前記パーゴラユニットは、
互いに平行に前記所定の方向に延在し、前記固定具を覆い隠しながら各々対応する前記ユニット支持材に係合する一対の胴縁部と、
前記胴縁部の長手方向の一端部同士を接続する矩形断面の端部横架材と、を有しており、
前記胴縁部の長手方向の一端は、前記端部横架材の一側面と略同一平面上に位置することを特徴とするパーゴラシステム。
【請求項２】
前記パーゴラユニットは、
前記端部横架材を含めて、互いに同一形状で前記所定の方向に所定の間隔寸法を空けて平行に配列され前記胴縁部同士を接続する複数の横架材を有しており、
前記胴縁部の長手方向の他端側は、前記複数の横架材のうちの最も前記他端側に位置する前記横架材の一側面から、前記所定の間隔寸法と同じ長さ分だけ突出していることを特徴とする請求項１に記載のパーゴラシステム。
【請求項３】
前記ユニット支持材と前記胴縁部とは、それぞれ互いに対向して開口する断面コ字状をなし、断面矩形の中空部を形成するように組み合わせられ、上部片同士が重ね合わされてビス留めされており、
前記固定具は、前記外壁面から突出し前記ユニット支持材を貫通して延びるボルトを含み、
前記ボルトの先端は、断面矩形をなす前記中空部内に存在することを特徴とする請求項１又は２に記載のパーゴラシステム。
【発明の詳細な説明】
【技術分野】
【０００１】
本発明は、例えば建物の外壁を利用したパーゴラを構築するパーゴラシステムに関するものである。
【背景技術】
【０００２】
従来から、陸屋根の吹き抜け部や建物外部に、建物の外壁を利用して設置されるパーゴラが知られている（例えば、特許文献１参照）。パーゴラの設置の際には、建設現場において、外壁に長尺の支持材を固定し、この支持材に対して横架材を一本一本接合することで、支持材に複数の横架材が両端支持される構造のパーゴラが構築される。
【先行技術文献】
【特許文献】
【０００３】
【特許文献１】特開平５−２２２８１４号公報
【発明の概要】
【発明が解決しようとする課題】
【０００４】
しかしながら、従来のパーゴラでは、支持材と横架材との接合や、支持材の壁面への固定に使用するボルトや金具類の一部が表側に露出するのが一般的であり、これらボルトや金具類が外観上のノイズとなって意匠性が損なわれるという問題があった。そこで、本発明は、上記のような問題を解決し、意匠性に優れたパーゴラを構築するパーゴラシステムを提供することを目的とする。
【課題を解決するための手段】
【０００５】
本発明のパーゴラシステムは、一対の対向する平行な外壁面同士の間で外壁面に平行な所定の方向に配列される複数のパーゴラユニットと、所定の方向に延在するように各々の外壁面上に固定具で固定され、複数のパーゴラユニットを両持ち支持する一対のユニット支持材と、を備え、パーゴラユニットは、互いに平行に所定の方向に延在し、固定具を覆い隠しながら各々対応するユニット支持材に係合する一対の胴縁部と、胴縁部の長手方向の一端部同士を接続する矩形断面の端部横架材と、を有しており、胴縁部の長手方向の一端は、端部横架材の一側面と略同一平面上に位置することを特徴とする。
【０００６】
このパーゴラシステムによれば、一対の胴縁部と横架材とが予め一体化されてなるパーゴラユニットを用いるので、パーゴラユニットをユニット支持材に取り付ける際には、少ない固定手段で接合することができる。また、ユニット支持材を外壁面に固定するための固定具は、胴縁部によって覆い隠されるので、パーゴラの外観には現れなくなる。更に、複数のパーゴラユニットを所定の方向に連結する際には、胴縁部同士の継ぎ目が端部横架材の一側面に一致するので、上記継ぎ目が目立たない。従って、構築されるパーゴラの意匠性を向上させることができる。
【０００７】
また、パーゴラユニットは、端部横架材を含めて、互いに同一形状で所定の方向に所定の間隔寸法を空けて平行に配列され胴縁部同士を接続する複数の横架材を有しており、胴縁部の長手方向の他端側は、複数の横架材のうちの最も他端側に位置する横架材の一側面から、所定の間隔寸法と同じ長さ分だけ突出していることとしてもよい。
【０００８】
また、ユニット支持材と胴縁部とは、それぞれ互いに対向して開口する断面コ字状をなし、断面矩形の中空部を形成するように組み合わせられて上部片同士がビス留めされており、固定具は、外壁面から突出しユニット支持材を貫通して延びるボルトを含み、ボルトの先端は、断面矩形をなす中空部内に存在することとしてもよい。
【０００９】
この構成によれば、ユニット支持材と胴縁部とを接合するビスが、下方から目視できない箇所に位置するので、更に意匠性を向上させることができる。
【発明の効果】
【００１０】
本発明によれば、意匠性に優れたパーゴラを構築するパーゴラシステムを提供することができる。
【図面の簡単な説明】
【００１１】
【図１】本発明の一実施形態に係るパーゴラシステムの分解斜視図である。
【図２】図１のパーゴラシステムの側面図である。
【図３】図１のパーゴラシステムのパーゴラユニットを示す斜視図である。
【図４】図１のパーゴラシステムの建物への固定状態を示す断面図である。
【図５】本発明のパーゴラシステムに用いられるパーゴラユニットの他の例を示す斜視図である。
【図６】本発明のパーゴラシステムに用いられるパーゴラユニットの更に他の例を示す斜視図である。
【発明を実施するための形態】
【００１２】
以下、図面を参照しつつ本発明に係るパーゴラシステムの実施形態について詳細に説明する。以下では、各図に示すように、Ｚ軸を鉛直軸としＸＹ平面を水平面とするＸＹＺ直交座標系を設定し、Ｘ，Ｙ，Ｚを各部の位置関係の説明に用いる場合がある。
【００１３】
図１〜図４に示すパーゴラシステム１は、例えば、建物の陸屋根の吹き抜け部にパーゴラを構築するものである。パーゴラは、対向する平行な一対の鉛直外壁３，３同士の間に構築される。以下では、外壁３，３の外壁面３ａ，３ａがＹＺ平面に平行であるものとして説明する。
【００１４】
パーゴラシステム１は、それぞれＹ方向に延在するように外壁面３ａ上にボルト止めされる一対の金属製の壁際材（ユニット支持材）５を備えている。また、パーゴラシステム１は、壁際材５，５同士の間に架け渡される複数の金属製のパーゴラユニット７を備えている。壁際材５，５は、パーゴラユニット７のＸ方向の両端をそれぞれ支持し、パーゴラユニット７を両持ち支持する。複数のパーゴラユニット７が、壁際材５，５上でＹ方向に隙間なく配列され、壁際材５，５に固定される。
【００１５】
壁際材５の断面形状は、外壁面３ａとは反対側に向けて開口するコの字形をなす。すなわち、壁際材５は、上部水平片５ａ、下部水平片５ｂ、及び鉛直片５ｃからなる。下部水平片５ｂのＸ方向の寸法は、上部水平片５ａのＸ方向の寸法よりも長い。壁際材５を外壁面３ａに沿って設置するため、外壁面３ａからはボルト２１がＸ方向に突出している。ボルト２１が鉛直片５ｃに形成されたボルト穴を貫通し、ボルト２１の先端にナット２３が取り付けられることで、壁際材５は外壁面３ａに固定される。ボルト２１の先端及びナット２３は、壁際材５の内側の面（外壁面３ａとは反対側の面）に露出する。
【００１６】
図４に示すように、外壁面３ａ上には、ブラケット１０３の先端がＸ方向に突出している。上記のボルト２１は、ブラケット１０３の先端に取り付けられる。ブラケット１０３の基端側は、Ｈ鋼で構成される建物の梁１０５に固定されている。梁１０５には例えばＡＬＣパネルからなる前述の外壁３も固定されている。ブラケット１０３の先端部分は、外壁３を貫通して外壁面３ａから突出している。なお、ブラケット１０３の先端部分が、外壁３をなすＡＬＣパネル同士の間（目地部分）を貫通するようにしてもよい。この場合、外壁３をなすＡＬＣパネルの縁部に切り欠きを設けることで目地部分を拡げ、上記切り欠き部分に充填される目地充填材を通過させるようにブラケット１０３の先端部分を突出させてもよい。
【００１７】
図３に示すように、１つのパーゴラユニット７は、Ｙ方向に延在する一対の金属製の胴縁部１１と、Ｘ方向に延在し胴縁部１１，１１同士を接続する２本の金属製の横架材１３と、を備えている。２本の横架材１３，１３の間には、所定の間隔寸法ｇの間隔が空けられている。胴縁部１１の断面形状は、壁際材５に対向するように外側に開口するコの字形をなす。すなわち、胴縁部１１は、上部水平片１１ａ、下部水平片１１ｂ、及び鉛直片１１ｃからなる。上部水平片１１ａのＸ方向の寸法は、下部水平片１１ｂのＸ方向の寸法よりも長い。横架材１３は、中空構造をなし矩形断面の中空部を有する。胴縁部１１の鉛直片１１ｃの上端部近傍には、外壁面３ａから離れる方向に突出するジョイント材１２（図２）が取り付けられている。このジョイント材１２が横架材１３の中空部に挿入され、横架材１３の上面から差し込まれたビス１２ａによって当該ジョイント材１２と横架材１３が接合される。この構造により、胴縁部１１と横架材１３とが接続される。
【００１８】
胴縁部１１の＋Ｙ側の一端を１１ｓ、胴縁部１１の−Ｙ側の他端を１１ｔとすれば、横架材１３のうち最も＋Ｙ側に配置されたものは、胴縁部１１，１１の一端１１ｓ側の端部同士を接続している。このような横架材１３を、特に「端部横架材」と称し、符号「１３ａ」を付して示す。この端部横架材１３ａの＋Ｙ側の鉛直側面１３ｓは、胴縁部１１の一端１１ｓと略同一平面上にある。また、胴縁部１１の他端１１ｔ側は、最も−Ｙ側に配置された横架材１３の−Ｙ側の鉛直側面１３ｔから、−Ｙ方向に長さｈだけ突出するように延伸されている。そして、この突出した長さｈが、横架材１３，１３同士の間隔寸法ｇに等しくなるように設定されている。なお、胴縁部１１の一端１１ｓ及び他端１１ｔは、胴縁部１１の金属板厚に相当する幅（例えば、２ｍｍ）をもったコの字形の端面である。上記のような寸法設定によれば、隣接するパーゴラユニット７同士で、胴縁部１１の一端１１ｓと他端１１ｔとを突き合わせるようにパーゴラユニット７を配列することで、図１に示すように、多数の横架材１３がＹ方向に等間隔に並ぶことになる。
【００１９】
図４に示すように、対向する断面コ字状の壁際材５と胴縁部１１とは、断面矩形の中空部１５を形成するように組み合わせられる。すなわち、胴縁部１１の上部水平片１１ａが壁際材５の上部水平片５ａの上に重ね合わされ、胴縁部１１の下部水平片１１ｂが壁際材５の下部水平片５ｂの上に重ね合わされる。そして、重ねられた上部水平片１１ａと上部水平片５ａとがビス１７で接合されることにより、パーゴラユニット７が壁際材５に接合される。この構造によれば、壁際材５を貫通して内側の面に露出していたボルト２１及びナット２３は、胴縁部１１によって覆い隠され、中空部１５内に存在することとなり、パーゴラの外観には現れなくなる。また、壁際材５と胴縁部１１との隙間から中空部１５に雨水が侵入した場合には、雨水は、中空部１５内をＹ方向に移動し、開放されたＹ方向の端部から排出される。
【００２０】
続いて、以上説明したパーゴラシステム１による作用効果について説明する。
【００２１】
パーゴラシステム１では、一対の胴縁部１１，１１と横架材１３とが予め一体化されてなるパーゴラユニット７が用いられる。よって、パーゴラユニット７を壁際材５，５に取り付ける際には、例えばビス１７のように少ない固定手段で接合することができる。また、固定箇所も少ないので、作業効率もよい。また、壁際材５を外壁面３ａに固定するための固定具（ボルト２１及びナット２３）は、胴縁部１１によって覆い隠されパーゴラの外観には現れなくなる。このように、外観上のノイズになり得る固定具を覆い隠す構成により、構築されるパーゴラの意匠性を向上させることができる。
【００２２】
更に、複数のパーゴラユニット７を連結する際には、図１に示されるように、胴縁部１１同士の継ぎ目（一端１１ｓと他端１１ｔとの突き合わせ部）のＹ方向における位置が、端部横架材１３ａの側面１３ｓの位置にほぼ一致する。よって、連結された胴縁部１１を内側から（外壁３とは反対の側から）見た場合、鉛直片１１ｃ同士の継ぎ目１１ｆが、端部横架材１３ａの端部の輪郭線にほぼ一致することになり、胴縁部１１同士の継ぎ目が目立たなくなる。このように、外観上のノイズになり得る部材の継ぎ目を目立たなくする構成により、構築されるパーゴラの意匠性を向上させることができる。
【００２３】
更に、壁際材５と胴縁部１１とを接合する際に、上部水平片５ａと上部水平片１１ａとをビス１７で止めるので、ビス１７は、胴縁部１１の上面に位置し下方からは目視できない。また、パーゴラユニット７の胴縁部１１と横架材１３とを接合するビス１２ａも、横架材１３の上面に位置し、下方からは目視できない。一般的にパーゴラは下方から見上げる機会が多いので、上記のようにビス１７やビス１２ａ等の固定具を部材の上面に配置する構成も、パーゴラの意匠性の向上に寄与する。
【００２４】
以上、本発明の一実施形態について説明したが、本発明は、上記実施形態に限られるものではなく、各請求項に記載した要旨を変更しない範囲で変形したものであってもよい。例えば、図５に示すように、横架材１３（端部横架材１３ａ）を１つのみ有するパーゴラユニット２０７を、パーゴラユニット７に代えて採用してもよい。また、図６に示すパーゴラユニット３０７のように、胴縁部１１の−Ｙ側に突出する長さｈが、横架材１３同士の間の間隔寸法ｇに等しいとの関係が満たされれば、パーゴラユニットは、等間隔に配置される３つ以上の横架材１３を備えてもよい。
【符号の説明】
【００２５】
１…パーゴラシステム、３ａ…外壁面、５…壁際材（ユニット支持材）、５ａ…上部水平片（ユニット支持材の上部片）、７…パーゴラユニット、１１…胴縁部、１１ａ…上部水平片（胴縁部の上部片）、１１ｓ…胴縁部の一端、１１ｔ…胴縁部の他端、１３…横架材、１３ａ…端部横架材、１３ｓ…端部横架材の側面、１３ｔ…横架材の側面、１５…中空部、２１…ボルト（固定具）、２３…ナット（固定具）、ｇ…間隔寸法。
【図１】
0005837443.tif 000002
【図２】
0005837443.tif 000003
【図３】
0005837443.tif 000004
【図４】
0005837443.tif 000005
【図５】
0005837443.tif 000006
【図６】
0005837443.tif 000007